(57)【要約】【課題】動作時間をより長くすることが可能な複合携帯電話装置を提供する。【解決手段】電池残量検出手段１７は制御部１５の制御下にあり、制御部１５は残り動作時間演算部１６と電池残量検出手段１７とを用いて現在使用している無線システム１３，１４に対する残り動作時間及び使用していない無線システム１３，１４に対しての残り動作時間を得ている。残り動作時間演算部１６は電池残量検出手段１７で検出された電池残量を無線システム１３，１４毎の残り動作時間に換算する。制御部１５は電池残量検出手段１７で検出される電池残量が一定値以下になったことを検出すると、最も消費電力が低い無線システム１３，１４を第一優先とした切替え動作を行い、その無線システム１３，１４の動作に固定する。【選択図】　　　図１
2004088521.tif 000002
【特許請求の範囲】
【請求項１】
各々異なる無線方式を用いる複数の無線システムを搭載し、前記複数の無線システムを電波状態に応じて切替える機能を含む複合携帯電話装置であって、自装置の電池残量を検出する検出手段と、前記複数の無線システム各々の消費電力が異なる場合に前記検出手段が検出した前記電池残量が予め設定された一定値以下となった時により前記消費電力が小さい無線システムに優先的に切替えて当該無線システムを固定動作させる制御手段とを有することを特徴とする複合携帯電話装置。
【請求項２】
前記制御手段は、前記電池残量が少なくなった時に前記消費電力が大きい無線システムから前記消費電力が小さい無線システムに切替える機能と、前記消費電力が小さい無線システムが動作中に前記消費電力が大きい無線システムに切替える必要が発生しても前記電池残量が少なければ切替えを行わずに前記消費電力が小さい無線システムの動作を維持する機能とを含むことを特徴とする請求項１記載の複合携帯電話装置。
【請求項３】
前記制御手段は、前記消費電力が最も小さい無線システムで受信待受け及び通話が維持可能な場合に限り、前記消費電力が最も小さい無線システムに固定して動作を行わせることを特徴とする請求項１または請求項２記載の複合携帯電話装置。
【請求項４】
前記消費電力が大きい無線システムがＷ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）方式による無線システムであり、前記消費電力が小さい無線システムがＰＤＣ（Ｐｅｒｓｏｎａｌ　Ｄｉｇｉｔａｌ　Ｃｅｌｌｕｌａｒ）方式による無線システムであることを特徴とする請求項１から請求項３のいずれか記載の複合携帯電話装置。
【請求項５】
各々異なる無線方式を用いる複数の無線システムを搭載し、前記複数の無線システムを電波状態に応じて切替える機能を含む複合携帯電話装置の電池残量による無線方式自動切替方法であって、自装置の電池残量を検出するステップと、前記複数の無線システム各々の消費電力が異なる場合に前記電池残量が予め設定された一定値以下となったことが検出された時に前記消費電力が小さい無線システムに優先的に切替えて当該無線システムを固定動作させるステップとを有することを特徴とする電池残量による無線方式自動切替方法。
【請求項６】
前記無線システムを固定動作させるステップは、前記電池残量が少なくなった時に前記消費電力が大きい無線システムから前記消費電力が小さい無線システムに切替えるステップと、前記消費電力が小さい無線システムが動作中に前記消費電力が大きい無線システムに切替える必要が発生しても前記電池残量が少なければ切替えを行わずに前記消費電力が小さい無線システムの動作を維持するステップとを含むことを特徴とする請求項５記載の電池残量による無線方式自動切替方法。
【請求項７】
前記無線システムを固定動作させるステップは、前記消費電力が最も小さい無線システムで受信待受け及び通話が維持可能な場合に限り、前記消費電力が最も小さい無線システムに固定して動作を行わせることを特徴とする請求項５または請求項６記載の電池残量による無線方式自動切替方法。
【請求項８】
前記消費電力が大きい無線システムがＷ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）方式による無線システムであり、前記消費電力が小さい無線システムがＰＤＣ（Ｐｅｒｓｏｎａｌ　Ｄｉｇｉｔａｌ　Ｃｅｌｌｕｌａｒ）方式による無線システムであることを特徴とする請求項５から請求項７のいずれか記載の電池残量による無線方式自動切替方法。
【請求項９】
各々異なる無線方式を用いる複数の無線システムを搭載し、前記複数の無線システムを電波状態に応じて切替える機能を含む複合携帯電話装置の電池残量による無線方式自動切替方法のプログラムであって、コンピュータに、自装置の電池残量を検出する処理と、前記複数の無線システム各々の消費電力が異なる場合に前記電池残量が予め設定された一定値以下となったことが検出された時に前記消費電力が小さい無線システムに優先的に切替えて当該無線システムを固定動作させる処理とを実行させるためのプログラム。
【発明の詳細な説明】
【０００１】
【発明の属する技術分野】
本発明は複合携帯電話装置及びそれに用いる電池残量による無線方式自動切替方法並びにそのプログラムに関し、特に複数の無線方式の機能を有する複合携帯電話装置におけるそれらの機能の切替え方法に関する。
【０００２】
【従来の技術】
近年、携帯電話機においては、自動車電話、ＰＤＣ（Ｐｅｒｓｏｎａｌ　Ｄｉｇｉｔａｌ　Ｃｅｌｌｕｌａｒ：携帯電話）方式、ＰＨＳ（Ｐｅｒｓｏｎａｌ　Ｈａｎｄｙ　Ｐｈｏｎｅ　Ｓｙｓｔｅｍ）方式に加え、Ｗ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ：広帯域符号化分割多重アクセス）方式が採用されている。
【０００３】
それぞれの方式における消費電力は大きく異なり、Ｗ−ＣＤＭＡ方式とＰＤＣ方式とを比較すると、Ｗ−ＣＤＭＡ方式は通話時間でＰＤＣ方式の２／３程度の時間であるが、待受けでは１／８程度と、その消費電力の差が大きい。そのため、両方式の機能を有する複合携帯電話装置では、電池残量が少ない場合に、ＰＤＣ方式では待受け、通話を維持することができるが、Ｗ−ＣＤＭＡ方式では待受け、通話を維持することができない状態が発生する。
【０００４】
そこで、複合携帯電話装置では、例えばＰＨＳ方式とＰＤＣ方式とによる信号の送受信が可能で、これら双方の方式による信号の同時受信待受けが可能な場合、電池残量が所定値以下となった時に同時受信待受けのモードを解除し、ＰＨＳ方式とＰＤＣ方式とのうちの一方による受信待受けに切替え、他方の方式による受信待受けを停止させる方法がとられている（例えば、特許文献１参照）。
【０００５】
【特許文献１】
特開２００２−１２５２６５号公報
【０００６】
【発明が解決しようとする課題】
しかしながら、従来の複合携帯電話装置では、複数の無線方式の機能を有する場合、無線方式毎の消費電力が同じにならないが、ＰＤＣ方式とＷ−ＣＤＭＡ方式との間のように、その消費電力の差が大きい場合、ＰＤＣ方式で動作可能な電池状態で、且つＷ−ＣＤＭＡ方式での動作ができないような電池残量の場合でも、装置としては動作することができない状態に陥る可能性がある。
【０００７】
そこで、本発明の目的は上記の問題点を解消し、動作時間をより長くすることができる複合携帯電話装置及びそれに用いる電池残量による無線方式自動切替方法並びにそのプログラムを提供することにある。
【０００８】
【課題を解決するための手段】
本発明による複合携帯電話装置は、各々異なる無線方式を用いる複数の無線システムを搭載し、前記複数の無線システムを電波状態に応じて切替える機能を含む複合携帯電話装置であって、自装置の電池残量を検出する検出手段と、前記複数の無線システム各々の消費電力が異なる場合に前記検出手段が検出した前記電池残量が予め設定された一定値以下となった時により前記消費電力が小さい無線システムに優先的に切替えて当該無線システムを固定動作させる制御手段とを備えている。
【０００９】
本発明による電池残量による無線方式自動切替方法は、各々異なる無線方式を用いる複数の無線システムを搭載し、前記複数の無線システムを電波状態に応じて切替える機能を含む複合携帯電話装置の電池残量による無線方式自動切替方法であって、自装置の電池残量を検出するステップと、前記複数の無線システム各々の消費電力が異なる場合に前記電池残量が予め設定された一定値以下となったことが検出された時に前記消費電力が小さい無線システムに優先的に切替えて当該無線システムを固定動作させるステップとを備えている。
【００１０】
本発明による電池残量による無線方式自動切替方法のプログラムは、各々異なる無線方式を用いる複数の無線システムを搭載し、前記複数の無線システムを電波状態に応じて切替える機能を含む複合携帯電話装置の電池残量による無線方式自動切替方法のプログラムであって、コンピュータに、自装置の電池残量を検出する処理と、前記複数の無線システム各々の消費電力が異なる場合に前記電池残量が予め設定された一定値以下となったことが検出された時に前記消費電力が小さい無線システムに優先的に切替えて当該無線システムを固定動作させる処理とを実行させている。
【００１１】
すなわち、本発明の複合携帯電話装置は、複数の無線方式を有し、電波状態に応じて無線方式の自動切替えを行う機能を有する装置において、無線方式によって消費電力が異なる場合に、電池残量が少なくなると、より消費電力が小さい無線方式を優先する切替えを自動で行うことで、動作時間をより長くするようにしている。
【００１２】
より具体的に説明すると、本発明の複合携帯電話装置では、電池残量が少なくなった場合に消費電力が大きい無線方式から消費電力が小さい無線方式に自動で切替える機能と、消費電力が小さい無線方式で動作中に消費電力が大きい無線方式に切替える必要が発生した場合に電池残量が少なければ無線方式の切替えを行わずに小さい消費電力の無線方式を維持する機能とを持つことで、動作時間を長くするようにしている。
【００１３】
本発明の複合携帯電話装置では、通常、それぞれの無線方式の切替方法がある条件及び手順で行われており、電池残量が十分にあればこの条件及び手順に沿って無線方式の切替えを行うが、電池残量が少なくなると、切替条件及び手順に対して優先的に機能し、より省電力な無線方式で待受け及び通話を維持可能な場合に限り、最も省電力な無線方式に固定した動作を行う。これによって、本発明の複合携帯電話装置では、電池残量をすべて有効に使用することが可能となり、装置としての動作時間をより伸ばすことが可能となる。
【００１４】
【発明の実施の形態】
次に、本発明の実施例について図面を参照して説明する。図１は本発明の一実施例による複合携帯電話装置の構成を示すブロック図である。図１において、複合携帯電話装置１はアンテナ１１，１２と、ＰＤＣ（Ｐｅｒｓｏｎａｌ　Ｄｉｇｉｔａｌ　Ｃｅｌｌｕｌａｒ：携帯電話）方式による無線システム１３と、Ｗ−ＣＤＭＡ（Ｗｉｄｅｂａｎｄ　Ｃｏｄｅ　Ｄｉｖｉｓｉｏｎ　ＭｕｌｔｉｐｌｅＡｃｃｅｓｓ：広帯域符号化分割多重アクセス）方式による無線システム１４と、制御部１５と、残り動作時間演算部１６と、電池残量検出手段１７と、記録媒体１８とから構成され、バッテリ２が装着されている。
【００１５】
制御部１５はそれぞれの無線システム１３，１４の制御及び複合携帯電話装置１のユーザＩ／Ｆ（インタフェース）等の制御を行う。電池残量検出手段１７は制御部１５の制御下にあり、制御部１５は残り動作時間演算部１６と電池残量検出手段１７とを用いて現在使用している無線システム１３，１４に対する残り動作時間及び使用していない無線システム１３，１４に対しての残り動作時間を得ている。残り動作時間演算部１６は電池残量検出手段１７で検出された電池残量を無線システム１３，１４毎の残り動作時間に換算する。
【００１６】
制御部１５は電池残量検出手段１７で検出される電池残量が予め設定されたある一定以上少なくなったことを検出すると、最も消費電力が低い無線システム１３，１４を第一優先とした切替え動作を行う。
【００１７】
図２は本発明の一実施例による制御部１５の制御フローを示すフローチャートである。図２において、制御部１５は電池残量検出処理、電池残量が一定値以下となったか否かの判定処理、現在使用している無線システムがＰＤＣ方式による無線システム１３の場合の処理、現在使用している無線システムがＷ−ＣＤＭＡ方式による無線システム１４の場合の処理を実行する。これらの処理は制御部１５（図示せぬ携帯電話装置１のコンピュータ）が記録媒体１８に格納されたプログラムを実行することでも実現可能である。以下、図１及び図２を参照して本発明の一実施例による携帯電話装置１の動作について説明する。
【００１８】
制御部１５は電池残量が十分にあれば、予め設定されたある条件及び手順にしたがってＰＤＣ方式による無線システム１３とＷ−ＣＤＭＡ方式による無線システム１４とを切替えながら動作を行う。上記の「ある条件及び手順」については、本発明とは直接関係ないので、その説明を省略する。
【００１９】
また、制御部１５はこれらＰＤＣ方式による無線システム１３及びＷ−ＣＤＭＡ方式による無線システム１４の動作とは非同期に残り動作時間演算部１６と電池残量検出手段１７とを用いて電池残量検出を行う。
【００２０】
つまり、制御部１５は電池残量検出処理（図２ステップＳ１）及び電池残量が一定値以下となったか否かの判定処理（図２ステップＳ２）を一定時間毎に行い、電池残量が少なくなって一定値以下になると、現在使用している無線方式がＰＤＣ方式及びＷ−ＣＤＭＡ方式のいずれであるかを判定する（図２ステップＳ３）。
【００２１】
制御部１５は現在使用している無線方式がＰＤＣ方式（ＰＤＣ方式による無線システム１３）であれば、ＰＤＣ方式による無線システム１３が少ない消費電力で動作しているため、ＰＤＣ方式による無線システム１３を固定動作させる（図２ステップＳ４）。この場合、制御部１５はＷ−ＣＤＭＡ方式による無線システム１４への切替えが必要な状態になっても、Ｗ−ＣＤＭＡ方式による無線システム１４への切替え動作を行わず、ＰＤＣ方式による無線システム１３での動作を継続させる。
【００２２】
一方、制御部１５は現在使用している無線方式がＷ−ＣＤＭＡ方式（Ｗ−ＣＤＭＡ方式による無線システム１４）であれば、Ｗ−ＣＤＭＡ方式による無線システム１４が多い消費電力で動作しているため、ＰＤＣ方式による無線システム１３への切替えが必要な状態でなくても、ＰＤＣ方式による無線システム１３への切替えを行い（図２ステップＳ５）、そこで無線動作が正常に行えれば（図２ステップＳ６）、ＰＤＣ方式による無線システム１３を固定動作させる（図２ステップＳ７）。
【００２３】
ここで、制御部１５はＰＤＣ方式による無線システム１３への切替え動作後、無線動作が正常に行えなければ（図２ステップＳ６）、Ｗ−ＣＤＭＡ方式による無線システム１４に動作を戻す（図２ステップＳ８）。しかしながら、制御部１５は一定時間経過後、再びＰＤＣ方式による無線システム１３への切替えを行い（図２ステップＳ５）、ＰＤＣ方式による無線システム１３２への切替えが正常に行えた時点で（図２ステップＳ６）、動作をＰＤＣ方式による無線システム１３に固定する（図２ステップＳ７）。
【００２４】
このように、本実施例では、電池残量が十分にあれば上記の条件及び手順に沿って無線方式の切替えを行うが、電池残量が少なくなると、上記の切替条件及び手順よりも優先的に、より省電力な無線方式で待受け及び通話を維持可能な場合に限り、最も省電力な無線方式に固定した動作を行う。これによって、本実施例では、電池残量をすべて有効に使用することが可能となり、装置としての動作時間を伸ばし、動作時間をより長くすることができる。
【００２５】
尚、本実施例では、無線方式をある条件や手順にしたがって切替えているが、複数の無線方式を同時に動作させている移動機において、消費電力が大きい無線方式側だけを停止させることで、消費電力を抑えて動作時間をより長くすることもできる。
【００２６】
【発明の効果】
以上説明したように本発明は、各々異なる無線方式を用いる複数の無線システムを搭載し、複数の無線システムを電波状態に応じて切替える機能を含む複合携帯電話装置において、複数の無線システム各々の消費電力が異なる場合に電池残量が予め設定された一定値以下となったことが検出された時に消費電力が小さい無線システムに優先的に切替えて当該無線システムを固定動作させることによって、動作時間をより長くすることができるという効果が得られる。
【図面の簡単な説明】
【図１】本発明の一実施例による複合携帯電話装置の構成を示すブロック図である。
【図２】本発明の一実施例による制御部の制御フローを示すフローチャートである。
【符号の説明】
１　複合携帯電話装置
２　バッテリ
１１，１２　アンテナ
１３　ＰＤＣ方式による無線システム
１４　Ｗ−ＣＤＭＡ方式による無線システム
１５　制御部
１６　残り動作時間演算部
１７　電池残量検出手段
１８　記録媒体
【図１】
2004088521.tif 000003
【図２】
2004088521.tif 000004